(57)【要約】【課題】膣内の適切な位置に吸収体を容易に配置できるタンポン用アプリケータを提供する。【解決手段】  タンポン用アプリケータ１は、外筒２０と、内筒３０と、を備える。内筒は、第１内筒３１と、第２内筒３２と、を有する。第１内筒３１の少なくとも一部と、第２内筒３２の少なくとも一部は、重なっている。第１内筒と第２内筒とが重なった重畳領域と外筒との色差は、重畳領域と前記第２内筒との色差よりも高い。【選択図】図４
2014054367.tif 000002
【特許請求の範囲】
【請求項１】
吸収体の少なくとも一部を収容する外筒と、使用時には連結して前記吸収体を前記外筒から膣内へと押し出す二重環状の第１内筒及び第２内筒を備えるタンポン用アプリケータであって、
前記第１内筒の少なくとも一部と前記第２内筒の少なくとも一部とは、重なっており、
前記第１内筒と前記第２内筒とが重なった重畳領域と前記外筒との色差は、前記重畳領域と前記第２内筒との色差よりも高い、タンポン用アプリケータ。
【請求項２】
前記第１内筒は、透明である、請求項１に記載のタンポン用アプリケータ。
【請求項３】
白色基準板に対する前記外筒の色差は、白色基準板に対する前記第２内筒の色差よりも高い、請求項１又は請求項２に記載のタンポン用アプリケータ。
【請求項４】
前記第１内筒と前記第２内筒との色差は、１４．０９以上である、請求項１から請求項３のいずれかに記載のタンポン用アプリケータ。
【請求項５】
前記外筒と前記第２内筒との色差は、１４．０９以上である、請求項１から請求項４のいずれかに記載のタンポン用アプリケータ。
【請求項６】
前記外筒の把持筒部には、前記第１内筒の表面の摩擦係数又は前記第２内筒の表面の摩擦係数と異なる摩擦係数の識別摩擦部が形成されている、請求項１から請求項５のいずれかに記載のタンポン用アプリケータ。
【発明の詳細な説明】
【技術分野】
【０００１】
本発明は、タンポン用アプリケータに関する。
【背景技術】
【０００２】
従来、アプリケータ付きの生理用タンポンが提供されている。タンポン用アプリケータは、外筒と内筒とを備えている。外筒の内部には、引き出し紐を有する吸収体が収納されている。使用者は、生理用タンポンを使用する際に、外筒を把持した状態で、外筒を膣内に挿入した後、内筒を外筒に向けて押圧する。吸収体は、内筒が外筒に向けて押圧されると、外筒から押し出されて膣内に配置される。
【０００３】
また、特許文献１には、コンパクト型のタンポン用アプリケータが開示されている。このタンポン用アプリケータは、生理用タンポンが収容される中空状の外筒と、中空状の第１内筒と 第１内筒に更に内包される第２内筒と、を備える。ユーザは、特許文献１のタンポン用アプリケータを使用する際に、第１内筒と第２内筒とを連結した後、第１内筒及び第２内筒を外筒内に押し込んで、外筒内に配置された吸収体を膣内に配置する。
【先行技術文献】
【特許文献】
【０００４】
【特許文献１】特開２００７−２２８９９２号公報
【発明の概要】
【発明が解決しようとする課題】
【０００５】
しかしながら、出願人は、上述のタンポン用アプリケータについて、以下のような問題点を発見した。
生理用タンポンを使用する際に、外筒を適切な深さまで挿入されていない状態で、使用者が吸収体を押し出すと、吸収体は、膣内の適切な位置に配置されないことがある。特に、タンポンを初めて使用する初心者の使用者は、タンポン用アプリケータ使用方法がわからず、適切な位置にタンポンを配置できないことがある。
【０００６】
このような問題に鑑みて、タンポン用アプリケータの使用方法を記載した取扱説明書を添付して、初心者の使用者への使用を促すことが行われている。また、初心者の使用者は、タンポンの使用経験のある使用者に使用方法を聞いて、タンポンの使用方法を把握することがある。
【０００７】
しかし、初心者の使用者は、タンポン用アプリケータを構成する部材名を把握し難く、使用方法を十分に把握できず、例えば、第１内筒と第２内筒を連結できない等、適切に使用できないことがあった。
【０００８】
そこで、本発明は、上述の課題に鑑みてなされたものであり、膣内の適切な位置に吸収体を容易に配置できるタンポン用アプリケータを提供することを目的とする。
【課題を解決するための手段】
【０００９】
上述した課題を解決するため、本開示に係るタンポン用アプリケータは、吸収体の少なくとも一部を収容する外筒と、使用時には連結して前記吸収体を前記外筒から膣内へと押し出す二重環状の第１内筒及び第２内筒前記第１内筒の少なくとも一部と前記第２内筒の少なくとも一部とは、重なっており、前記第１内筒と前記第２内筒とが重なった重畳領域と前記外筒との色差は、前記重畳領域と前記第２内筒との色差よりも高いことを要旨とする。
【発明の効果】
【００１０】
本発明によれば、膣内の適切な位置に吸収体を容易に配置できるタンポン用アプリケータを提供できる。
【図面の簡単な説明】
【００１１】
【図１】実施形態に係るアプリケータ付き生理用タンポンの使用時の状態の斜視図である。
【図２】図１に示すアプリケータ付き生理用タンポンのＡ−Ａ断面図である。
【図３】実施形態に係るアプリケータ付き生理用タンポンの使用前の状態の斜視図である。
【図４】図３に示すアプリケータ付き生理用タンポンのＢ−Ｂ断面図である。
【発明を実施するための形態】
【００１２】
図１〜図４を参照して、タンポン用アプリケータを備えるアプリケータ付き生理用タンポン１について説明する。図１及び図２は、後述する使用時の状態を示しており、図３及び図４は、使用前の状態を示している。図１及び図３は、実施形態に係るアプリケータ付き生理用タンポンの全体を示す斜視図である。図２は、図１に示すＡ−Ａ断面図である。図４は、図３に示すＢ−Ｂ断面図である。
【００１３】
アプリケータ付き生理用タンポン１は、タンポン用アプリケータ１０と、生理用タンポンとしての吸収体４０と、を備える。タンポン用アプリケータ１０は、外筒２０と内筒３０とを有している。外筒２０及び内筒３０は、内部に中空部を有する筒形状である。外筒２０と内筒３０の断面形状は、正円形である。外筒２０及び内筒３０は、ポリエチレン、ポリプロピレン等のポリオレフィン系樹脂、または表面をポリオレフィンフィルムでラミネートした厚紙によって全体が形成されている。
【００１４】
外筒２０の内部には、吸収体４０が収容されている。吸収体４０には、取り出し紐４０ａが連結されている。取り出し紐４０ａは、吸収体４０の端部から内筒３０の内部を挿通し、その挿通端部が内筒３０から抜き出されている。使用中に取り出し紐４０ａを引くことにより、吸収体４０を体内から引き出すことができる。
【００１５】
外筒２０は、吸収体４０の少なくとも一部を収容するように構成されている。外筒２０の一端には、吸収体４０が押し出される押し出し開口２１が設けられている。押し出し開口２１には、吸収体４０が押し出される際に径方向外側に向けて変形する花弁体２２が形成されている。花弁体２２は、常時、押し出し開口２１の縁部で閉となっているが、内筒３０によって吸収体４０が押し出されるときに吸収体４０によって押し広げられて開口する。これにより、吸収体４０が外筒２０から押し出され、吸収体４０を体内に挿入することができる。
【００１６】
外筒２０の他端には、外筒２０及び内筒３０の移動操作の際に指によって把持される把持筒部２３が設けられている。把持筒部２３は、押し出し開口２１と把持筒部２３との間における外筒本体２４の径よりも小径である。把持筒部２３には内筒３０の先端部分が挿入されており、挿入された内筒３０の先端面は吸収体４０に臨んでいる。把持筒部２３の内筒側（タンポン用アプリケータの挿入方向の後側）の端部には、径方向外側に突出する突起部２５が形成されている。
【００１７】
内筒３０は、使用時には連結して吸収体４０を外筒２０から膣内へと押し出す二重環状の第１内筒３１及び第２内筒３２を備える。第１内筒３１は、外筒２０の把持筒部２３に係合するように構成されている。第２内筒３２は、タンポン用アプリケータ１０の挿入方向における第１内筒３１の後端部に係合するように構成されている。第２内筒３２は、第１内筒３１よりも小径であり、第２内筒３２の一部（挿入方向における先端部）が第１内筒３１内に配置される。
【００１８】
第１内筒３１の少なくとも一部と、第２内筒３２の少なくとも一部は、重なっている。なお、第１内筒３１の全体と、第２内筒３２の一部とが重なっていてもよいし、第１内筒３１の一部と、第２内筒３２の全体とが重なっていてもよいし、第１内筒３１の全体と、第２内筒３２の全体とが重なっていてもよい。
【００１９】
なお、第１内筒３１と外筒２０とが係合した状態、及び第１内筒３１と第２内筒３２との係合した状態とは、それぞれの少なくとも一部が引っかかってスライド移動が規制された状態や、それぞれの少なくとも一部が嵌合し、スライド移動が規制された状態である。
【００２０】
アプリケータ付き生理用タンポン１の使用前の状態において、第２内筒３２の少なくとも一部は、第１内筒３１内に収容されて第１内筒３１と重なっている。アプリケータ付き生理用タンポン１の使用時において、第１内筒３１と第２内筒３２とが連結されて、少なくとも第１内筒３１の一部が外筒２０内に挿入される。
【００２１】
次いで、アプリケータ付き生理用タンポン１の使用方法について説明する。不使用時（使用前）には、第２内筒３２の一部が第１内筒３１内に収納され、この第１内筒３１の一部が更に外筒２０の一部に収納されている。吸収体４０は、外筒２０の中に収納されている。取り出し紐４０ａは、外筒内の吸収体の端部から挿入方向における後方に向かって延び、第２内筒３２の後端部からタンポン用アプリケータ１０の外へと延出している。
【００２２】
使用者は、アプリケータ付き生理用タンポン１を使用する際は、第２内筒３２を第１内筒３１から引き出して、第１内筒３１と第２内筒３２を連結する。第１内筒３１と第２内筒３２とが連結した状態とは、第１内筒３１と第２内筒３２とがスライド移動しない状態で連なった状態である。第１内筒３１の先端部と第２内筒３２の後端部には、図示しない係合部材が設けられている。第２内筒が第１内筒から引き出されて、当該係合部材が係合することにより、第１内筒と第２内筒とのスライド移動が規制され、第１内筒と第２内筒とが連結される。次いで、使用者は、第２内筒及び第１内筒を後方に引っ張って、第１内筒３１を外筒２０から引き出す。図１及び図２は、第１内筒と第２内筒とが連結され、かつ第１内筒３１が外筒２０から引き出された状態である。
【００２３】
次いで、使用者は、アプリケータ付き生理用タンポン１の先端となる押し出し開口２１を膣口に当接させた状態で、外筒２０を膣の適切な位置まで挿入する。外筒２０を適切な位置まで挿入した状態では、外筒２０の把持筒部２３が膣口近傍に配置される。使用者が内筒３０を外筒２０側に向けて押圧することにより、外筒２０の押し出し開口２１から吸収体４０が押し出され、吸収体４０が膣内の適切な位置に配置される。このようにして、アプリケータ付き生理用タンポン１の吸収体を膣内に配置することができる。
【００２４】
次いで、外筒２０と内筒３０の着色態様について説明する。外筒２０及び内筒３０の少なくとも一部は、着色されている。外筒２０、第１内筒３１及び第２内筒３２の色は、それぞれ異なっている。本実施の形態において色が異なるとは、白色基準板に対する色差が異なることである。外筒２０は、タンポン用アプリケータ１０の構成部材（外筒２０、第１内筒３１及び第２内筒３２）のうち、最も目立つように構成されている。具体的には、外筒２０は、白色基準板に対する色差が最も高い。本実施の形態の外筒は、濃いピンク色である。
【００２５】
第１内筒３１は、透明である。第１内筒３１が透明であるため、使用者は、第１内筒３１と第２内筒３２の位置関係や、第１内筒内での第２内筒３２位置及び吸収体４０の移動態様を、タンポン用アプリケータ１０の外側から視認することができる。よって、使用時に、第１内筒３１と第２内筒３２を適切に連結したり、吸収体を適切なタイミングで押し出したりすることができる。
【００２６】
例えば、第１内筒内に収納された第２内筒３２を第１内筒３１の外側から視認できない場合には、使用者によっては、第１内筒３１の内側に第２内筒３２が挿入されていることを把握できず、第２内筒３２を第１内筒３１から引き出す作業を認識できないことがある。また、使用者によっては、第２内筒３２を第１内筒３１から引き出す作業を認識できた場合であっても、引き出す位置を把握できず、第１内筒３１の後端部から露出している第２内筒３２を把持して引き出すことができないことがある。しかし、第１内筒３１が透明であることにより、使用者は、第１内筒３１の内側に第２内筒３２が配置されていることを第１内筒３１の外側から明確に認識することができる。
【００２７】
第２内筒３２は、外筒２０よりも目立たない色で着色されている。具体的には、白色基準板に対する第２内筒３２の色差は、白色基準板に対する外筒２０の色差よりも低い。本実施の形態の第２内筒は、薄いピンク色である。更に、本実施の形態第１内筒は透明であり、白色基準板に対する第１内筒３１の色差も、白色基準板に対する外筒２０の色差よりも低い。このように、内筒３０よりも外筒２０を目立たせることにより、使用者は、使用時に身体に挿入する部分（外筒の先端部分）を容易に認識することができる。
【００２８】
また、第１内筒と第２内筒との色差ΔＥは、１４．０９以上であることが望ましい。第１内筒３１と第２内筒３２との色が異なるため、内筒が２つの部材からなることを把握でき、第１内筒３１と第２内筒３２とを識別しやすくなる。特に、第１内筒と第２内筒との色差ΔＥは、１４．０９以上であることにより、使用者が明確に第１内筒と第２内筒とを区別して認識できる。初心者の使用者にとっては、色が異なるため、部材を把握しやすくなる。経験者の使用者が説明を行う際も、第１内筒と第２内筒との色が異なるため、色に基づいて容易に説明することができる。
【００２９】
タンポン用アプリケータの構成部材の色差ΔＥは、１４．０９以上であることが望ましい。例えば、外筒２０と第２内筒３２との色差ΔＥが、１４．０９以上であることにより、使用者の膣内に挿入する外筒と、使用時に指で把持する第２内筒と、を使用者が明確に区別することが可能となる。
【００３０】
また、第１内筒３１と第２内筒３２とが重なった重畳領域Ｒ１（図４参照）と外筒２０との色差は、重畳領域と第２内筒３２との色差よりも高い。使用前の状態では、第２内筒３２の少なくとも一部は、第１内筒に収納されて、第１内筒３１と重なっている。使用者が包装袋を開封した状態では、当該使用前の状態となる。この状態において重畳領域と外筒との色差が比較的高いため、使用者は、外筒２０と内筒３０とを区別し易い。なお、本実施の形態の内筒の一部は外筒内に配置されているため、ここでいう重畳領域Ｒ１は、第１内筒３１と第２内筒３２とが重なった領域のうち、外筒の外側に配置されている領域である。
【００３１】
よって、使用者は、外筒と色が異なる部分（第１内筒及び第２内筒）を認識し、容易に操作することができる。色による部材の識別力を高めることにより、初心者の使用者であっても使用方法を十分に把握することができ、適切に使用し、膣内の適切な位置に吸収体を容易に配置できる。
【００３２】
なお、本実施の形態の重畳領域Ｒ１と外筒２０との色差は、３１.５７であり、重畳領域Ｒ１と第２内筒３２との色差は、２．６９である。
【００３３】
本実施の形態では、第１内筒が透明であり、第１内筒と第２内筒との重畳領域の色は、実質的に第２内筒の色である。ただし、後述の実施例の記載のように、透明である第１内筒が重なった部分と、第１内筒が重なっていない部分とは色差が異なる。また、第１内筒が半透明の場合には、第１内筒の色と第２内筒の色と重なった色が、重畳領域の色となる。更に、第１内筒の光透過性が低い場合には、実質的に第１内筒の色が重畳領域の色となる。
【００３４】
また、タンポンを使用したことがない初心者の使用者は、取扱説明書を参照してタンポンの使用方法を理解することが考えられる。例えば、取扱説明書において、アプリケータ付き生理用タンポン１の構成部材の名称に基づいて、アプリケータ付き生理用タンポン１の使用方法を説明することが考えられる。しかし、アプリケータ付き生理用タンポン１の構成部材の名称は、一般消費者には馴染みの薄い用語である。よって、初心者の使用者は、取扱説明書を参照しても、使用方法を理解できず、正確に使用方法を把握できないおそれがある。
【００３５】
しかし、本実施の形態のアプリケータ付き生理用タンポン１によれば、取扱説明書において、各構成部材の名称と色とを関連付けて説明できる。このような説明によれば、構成部材(外筒及び内筒)が機能と色で関連付けられているため、初心者の使用者であっても、理解がしやすい。経験者の使用者が説明を行う際も、色に基づいて容易に説明することができる。
【００３６】
使用者がアプリケータ付き生理用タンポン１の使用方法を正確に理解することにより、使用者が適切な位置に容易に吸収体４０を配置することができる。吸収体４０を適切な位置に配置することにより、使用者は、使用時の違和感が少なくなり、タンポンの使用を快適に感じることができる。
【００３７】
なお、外筒２０及び内筒３０は、ポリオレフィン系樹脂、エラストマー、紙、その他の材料に構成される。例えば、ポリエチレンやポリプロピレン樹脂、顔料、及び滑材を射出成型することによって形成されている。顔料は、他の材料に対して０％〜８％の範囲で加えることが望ましい。外筒２０及び内筒３０の材料に顔料を加えることによって着色されているが、他の方法によって着色されていてもよい。例えば、顔料を除いて鍔部を射出した後、スプレー塗装、スクリーン印刷、レーザー印刷、コーティング及びラミネートを施すことによって、着色するように構成してもよい。
【００３８】
タンポン用アプリケータに着色される色は、例えば、特表2008-507385に記載されている国際照明委員会（Commission Internationale de l’Eclairage）Ｌ＊ａ＊ｂ＊色空間（以下「ＣＩＥＬａｂ」）にしたがって適合されるように構成してもよい。ＣＩＥＬａｂは、ＣＩＥ１９７６基準に基づく、数学的な三刺激値カラースケールである。ＣＩＥＬａｂは、色を定量的に及び正確に記載することを可能にする。ＣＩＥＬａｂは、色をデカルト座標のｘｙｚ空間に類似した３次元空間にプロットすることを可能にする。ＣＩＥＬａｂは、デカルト座標のｘｙｚ空間において、もともとはｘ軸である上に緑から赤までの色を有する。ＣＩＥＬａｂは、この軸をａ軸と見なす。負のａ＊値は緑を表し、及び正のａ＊値は赤を表す。ＣＩＥＬａｂは、デカルト座標のｘｙｚ空間において、もともとはｙ軸である上に青から黄までの色を有する。ＣＩＥＬａｂは、この軸をｂ軸と見なす。負のｂ＊値は青を表し、及び正のｂ＊値は黄を表す。ＣＩＥＬａｂは、デカルト座標のｘｙｚ空間においてもともとはｚ軸である上に明度を有する。ＣＩＥＬａｂは、この軸をＬ軸と見なす。Ｌ＊軸は１００から０までの値を範囲とし、１００は白であり、０は黒である。５０のＬ＊値は中間の灰色を表す（ただし、ａ＊及びｂ＊が０であるという条件である場合）。３つの値（Ｌ＊、ａ＊、ｂ＊）にしたがって、いずれの色もＣＩＥＬａｂ内にプロットされてもよい。
【００３９】
３次元のＣＩＥＬａｂは、彩度、色相、及び明度の３つの色の構成要素を計算することを可能にする。ａ軸及びｂ軸から形成される２次元の空間において、色相及び彩度の構成要素が決定され得る。彩度は、知覚される色の相対的飽和度であり、及びａ＊ｂ＊平面において測定されるときの原点からの距離により決定される。
【００４０】
例えば、ａ＊ｂ＊値（１０，０）を有する色は、ａ＊ｂ＊値（２０，０）を有する色より低い彩度を示す。後の色は前の色より赤いとして定性的に知覚される。色相は、特定の色の相対的な赤、黄、緑、及び青である。２次元のａ＊ｂ＊空間内で原点からいずれかの色まで半径を作り出すことができる。色相は、０°（正のａ＊軸）から作り出された半径までを測定した角度である。色相は、０°から３６０°までのいずれかの値であることができる。明度はＬ＊の値から決定され、より高い値はより白であり及びより低い値はより黒である。
【００４１】
色の違いである色差ΔＥは、例えば、以下の式に基づいて求めることができる。ΔE=(（ΔL＊）2乗＋（Δa＊）2乗＋（Δb＊）2乗）1/2乗。ここで、Ｌは、明度であり、a＊は赤−緑軸の座標であり、ｂ*は黄−青軸の座標である。基準色に対する色差を測定することにより、包装シート等に印刷される第１色及び第２色の色を特定することができる。
【００４２】
色差は、例えば、以下の方法によって測定することができる。具体的には、まず、基準色となる白色のL*a*b*を、色差測定器（例えば、Konica Minolta社製 CR-300）を用いて測定する。本実施の形態では、測定機器の光源として、C光源(国際照明委員会(CIE)の規格)を用いている。測定機器の測定窓の直径は、４０ｍｍである。また、色差を測定する際の基準色として白色基準板(Y92.0  x0.3145  y0.3198)を用いた。なお、ここでＹは、明るさを指標する値であり、ｘ、ｙは、色度の平面座標である。
【００４３】
次いで、測定した測定値（L*a*b*）を基準色として設定する。次いで、白色基準板の上色差の測定対象を載せて、測定したい色のL*a*b*を測定する。これにより、基準色に対する測定対象の色差を算出することができる。なお、測定したいサンプルの色部分が、測定機器の測定窓よりも小さい場合は、所定部分を切り抜いたものを予め用意しておき、隙間や重なりが出来ないように白色基準版の上に並べて測定する。
【００４４】
例えば、外筒２０、第１内筒３１及び第２内筒３２の色の濃さは、特に制限されない。外筒２０及び第１内筒３１の色よりも第２内筒３２の色が濃くなるように構成されていてもよいし、第２内筒の色が最も薄くなるように構成されていてもよい。色の濃さは、色差分析結果のΔＬに準じており、ΔＬの値が高いほど、色が濃くなる。更に、構成部材の色は、濃淡、他色及び半透明が組み合わされた色であってもよい。
【００４５】
更に、外筒２０、第１内筒３１、第２内筒３２の少なくともいずれかに、他の構成部材の表面の摩擦係数と異なる摩擦係数の識別摩擦部を設けてもよい。識別摩擦部が設けられているため、視覚と触感で明確に外筒と内筒とを区別することができる。
【００４６】
本実施の形態の識別摩擦部５０は、外筒２０の把持筒部２３に形成された突起である。識別摩擦部５０を設けることにより、使用者は、把持筒部２３を認識することが可能となる。外筒２０の把持筒部２３に識別摩擦部５０が設けられているため、視覚と触感で明確に外筒と内筒とを区別することができる。
【００４７】
更に、把持筒部２３の表面に識別摩擦部５０を設けることにより、表面が平滑な把持筒部２３と比較して滑り難くなる。把持筒部２３は、外筒２０を膣内に挿入した状態で内筒３０を押し込む際に、使用者が把持する部分である。例えば、把持筒部２３を指で保持できなかったり、把持筒部２３に対して指が滑ってしまったりすると、正しい位置に吸収体を配置できないことがある。しかし、把持筒部が滑りにくいことにより、把持筒部をきちんと把持した状態で内筒を押圧でき、吸収体を適切な位置に配置できる。
【００４８】
識別摩擦部１２ｃは、金型射出、レーザー成型、熱成型、ホットメルト接着剤の塗布、その他の方法によって形成することができる。また、識別摩擦部は、鍔部の表面に設けられたゴム、紙、及びレザーによって構成されていてもよい。
【００４９】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５０】
例えば、本実施の形態に係る外筒２０及び内筒３０の断面形状は、正円形であるが、本発明に係る外筒２０及び内筒３０の断面形状は、膣内に挿入し易い形状であればよく、例えば、楕円形であってもよい。
【００５１】
なお、本実施の形態においては、外筒、第１内筒及び第２内筒の３つの構成部材の色差がそれぞれ異なるように構成しているが、この構成に限定されない。第１内筒と第２内筒とが同じ色差であってもよいし、第１内筒と外筒とが同じ色差であってもよい。
【実施例】
【００５２】
以下、実施例と比較例を挙げて、タンポン用アプリケータの構成部品の識別性評価について詳細に説明する。なお、本発明はこれらにより限定されるものではない。
【００５３】
（評価内容）
色差が異なる８つのサンプルを用意し、そのうちの２つのサンプルを用いて、２つのサンプルを目視にて識別できるか否かの識別性評価を行った。
【００５４】
（色差の測定方法）
表１に各サンプルの白色基準板に対する色差について示す。白色基準板に対する色差は、白色基準板(Y92.0  x0.3145  y0.3198)を色差基準色して、後述する測定装置を用いて各サンプルを測定し、色差基準色からの各サンプルの色差分析値を測定した。
【００５５】
【表１】
2014054367.tif 000003
【００５６】
（全光線透過率の測定装置）
・ 色彩色差計（コニカミノルタ  CR300)
・   ・JIS Z  8722の拡散照明垂直受光方式に準拠。
・   ・測定ヘッド  Φ40mm
・   ・受光素子  シリコンフォトセル  6個
・   ・光源  パルスキセノンランプ
・   ・測定径  8mm
・   ・標準偏差  ΔE*ab  0.07以内
【００５７】
（評価方法）
８つのサンプルのうち、２つのサンプルを用いて、一方のサンプル（サンプル１）を色差基準色として、他方のサンプル（サンプル２）の色差を測定した。また、いくつかの実施例及び比較例では、他方のサンプルの色差を測定する際に、透明な構成部材を覆った状態で測定した。測定装置及び測定方法は、各サンプルの色差の測定と同様である。そして、目視によって一方のサンプルと他方のサンプルとが識別できるか否かを判定した。モニターが２つのサンプルを識別できると判定した場合には、識別可と判定し、２つのサンプルを識別できないと判定した場合には、識別不可と判定した。
【００５８】
（評価結果）
評価結果を表２に示す。
【表２】
2014054367.tif 000004
【００５９】
実施例１〜実施例８は、２つのサンプルの色差が基準鍔部との色差が１４．０９以上であり、モニターが識別可と判定した。また、実施例７及び実施例８は、モニターが２つのサンプルを識別し難いと感じたが、識別できると判断した。一方、実施例１〜実施例６は、モニターが明確に２つのサンプルを識別できると判断した。よって、２つの構成部材の色差は、１４．０９以上であることにより、目視にてサンプルを識別できることがわかった。更に、より好適には、２つの構成部材の色差は、１６．８８以上であることが望ましいことがわかった。
【００６０】
また、実施例５と実施例６とを比較すると、同じサンプルの組み合わせであっても、透明な構成部材によって覆うことにより、色差が異なり、識別性が高くなることがわかった。
【符号の説明】
【００６１】
１        ：アプリケータ付き生理用タンポン
１０      ：タンポン用アプリケータ
１２ｃ    ：識別摩擦部
２０      ：外筒
２１      ：押し出し開口
２２      ：花弁体
２３      ：把持筒部
２４      ：外筒本体
２５      ：突起部
３０      ：内筒
３１      ：第１内筒
３２      ：第２内筒
４０      ：吸収体
４０ａ    ：取り出し紐
５０      ：識別摩擦部
Ｒ１      ：重畳領域
【図１】
2014054367.tif 000005
【図２】
2014054367.tif 000006
【図３】
2014054367.tif 000007
【図４】
2014054367.tif 000008